(57)【要約】【課題】椅子などを持ち上げたり、傾けた場合に滑り落ちにくく、座布団が汚れた場合には、座布団からの取り外し、取り付けが容易に出来る座布団カバーを提供する。【解決手段】任意の座布団表面を覆う表面と折り返し片部とが一体となった座布団カバーであり、折り返し片部に載置する滑り止めマットが着脱可能な固定手段となった座布団カバーとした。【選択図】図１
2011125412.tif 000002
【特許請求の範囲】
【請求項１】
任意の座布団表面を覆う表面と折り返し片部とが一体となった座布団カバーであり、折り返し片部に載置する滑り止めマットが着脱可能な固定手段となった座布団カバー。
【請求項２】
発泡樹脂シートの少なくとも一方の面に、表面に多数の凹部を有する吸着性シートが上記凹部を有する面を外側にして積層されている滑り止めマットを着脱可能としたことを特徴とする請求項１記載の座布団カバー。
【請求項３】
任意の座布団表面を覆う表面と折り返し片部と滑り止めマットにより構成されたことを特徴とする請求項１記載の座布団カバー。
【発明の詳細な説明】
【技術分野】
【０００１】
本発明は、座布団カバーに関するものである。
【背景技術】
【０００２】
椅子などを持ち上げたり、傾けた場合に、座布団が椅子からの転落やズレが生じるため、落下を防ぐ措置として、従来は座布団に縫い付けてある紐を椅子に結び付けていた。また、座布団の汚れを防ぐために座布団にカバーをかけるが、従来の座布団カバーは、ファスナーの開け閉めや紐で結び付けることにより座布団を出し入れしている。
【０００３】
椅子の上に座布団を置いただけの場合は、掃除機をかけるときなど、椅子を移動する際に椅子の傾きにより、座布団がズレ、床に落ちてしまい、その度に拾う煩わしさがある。
【０００４】
台所の座布団などは、食事の際に汚れが付きやすく、度々洗濯をしたいところであるが、ファスナーや紐を結ぶ従来の座布団カバーの取り付けは、座布団を座布団カバーの四隅の奥まで座布団の角を合わせ、押し込まなければきれいに取り付けられない手間と煩わしさがある。
【０００５】
また、従来の座布団に取り付けられている紐の位置と椅子大きさが違う場合があり、紐が結びにくい位置であったり、紐の長さが足りなかったり、椅子の形によっては、紐が結べないものもある。
【０００６】
座布団のズレ防止として、座布団本体の裏面に滑り止めのある座布団もあるが、座布団を洗濯する際、綿の厚みにより乾きにくい上、綿の偏りなどの問題が発生する。
【０００７】
椅子と座布団の間に滑り止めマット２を置いた場合でも、立ったり座ったりの動作により滑り止めマット２がよれる問題がある。
【先行技術文献】
【特許文献】
【０００８】
【特許文献１】特開２００５−０１３４０４号公報
【特許文献２】特開２００３−８９９４５公報
【特許文献３】実開平０６−７７６０６号公報
【特許文献４】実登３０９６００２号公報
【特許文献５】実登３１３５１１６号公報
【０００９】
特許文献１は、椅子の座面に載置される座布団本体と、座布団本体に連結され、座布団の周囲の少なくとも２方向に、椅子の座面裏面においてそれぞれ対向するように設けられた裏面部と、前記の裏面部の先端に設けられ、対向する裏面部同士を固着するために設けられた固着部材とから椅子固着用座布団を構成し、椅子に載置した状態で、一対の固着部材同士をそれぞれ固着して固定するものであるが、座布団の設置には、椅子の裏側にて固着しなければいけないため、椅子の下側に体を回らせるか、或いは椅子を引っくり返して固着しないといけない手間がかかる問題がある。また、椅子の大きさや形により座布団本体に連結された裏面部が余ったり、足りないという不都合が生じる場合がある。
【００１０】
特許文献２は、滑止クッションＳ１表面を構成する滑止シートは、たて糸として摩擦抵抗が大きいポリウレタン裸糸Ｃを用いた搦み織りで織られている。したがって、滑止シート表面には多数の凹凸が形成され、滑止シートは優れた滑り止め作用を発揮する。また、よこ糸間の隙間によって形成される透けた空隙部分と多数の凹凸により、滑止クッションＳ１が身体に密着しても空気が流通しやすく、蒸れにくいものであるが、汚れた場合に洗濯機に入れ丸洗いできない問題がある。
【００１１】
特許文献３は、椅子の座板上面と、座布団の裏面に面状ファスナーを取着し、両面状ファスナー同士を係合させることによって、椅子の座板上面に座布団を固定するようにしてなる座布団の滑り止め構造であるが、椅子の座板上に面状ファスナーを取着することは、椅子のデザイン性が損なわれることになる。また、座布団の裏面に夫々面状ファスナーの位置が特定されるため、椅子の座板上面とピッタリと合わせなければ固定の効果がないので、設置に方向、位置等の調整が必要となる上、椅子と座布団をセットで使用しなければ固定の効果がない不都合がある。
【００１２】
特許文献４は、座布団本体を椅子の座面及び背凭れ面に簡単に装着でき、また座布団本体の裏面が滑り止め加工したシートによって形成されているものであるが、座布団の四隅に椅子に固定するための紐を設けたことを特徴しているため、紐の取り付け、洗濯の際は、乾きにくく、座布団内の綿の偏ってしまうことがある。
【００１３】
特許文献５は、前方が高く後方に低く傾斜角度を持ったクッションを面状ファスナーで座椅子の座面に貼付により、クッションにより座面の前方が高く傾斜するため背もたれにもたれ掛かっても、尻が滑りにくくなるものであるが、クッションの座面の前方が高く傾斜がある特徴は、専用の形のカバーをつけていないことには、汚れが付着した場合に洗濯をすることが出来ない問題がある。
また、座り心地において、座面の前方が高く傾斜になっていると、椅子の形によっては、奥行きが深くなりお尻が沈む形となり、立ち上がりにくい問題が生じる。
【００１４】
これら座布団と椅子の関係における欠点であった、椅子の移動の際の傾きにより、座布団が落ちる煩わしさ、座布団を紐による取り付けの不具合と手間、座布団カバーの付け替えが容易に出来る工夫と取り付けの簡便さを提供したい。
【発明の概要】
【発明が解決しようとする課題】
【００１５】
発明が解決しようとする課題は次のとおりである。
(１)           
椅子などを持ち上げたり、傾けた場合に、座布団が椅子からの転落やズレが生じにくい座布団としたい。
(２)           
汚れたら度々洗濯がしやすい、取替えやすい座布団カバーとしたい。
(３)           
椅子の大きさや形により座布団の紐が結べない場合もあるため、紐がなくても椅子に設置できる座布団としたい。
(４)           
洗濯した場合、乾きが早く衛生的な座布団カバーとしたい。
(５)           
紐、ファスナー等のないシンプルな座布団カバーとし、安価な座布団カバーを提供したい。
【００１６】
以上の５点を解決できるものとして、座布団カバーを提供するものである。
【課題を解決するための手段】
【００１７】
本発明は課題を解決するために、任意の座布団表面を覆う表面と折り返し片部とが一体となった座布団カバーであり、折り返し片部に載置する滑り止めマットが着脱可能な固定手段となった座布団カバーとした。
【００１８】
発泡樹脂シートの少なくとも一方の面に、表面に多数の凹部を有する吸着性シートが上記凹部を有する面を外側にして積層されている滑り止めマットを着脱可能とした座布団カバーとした。
【００１９】
任意の座布団表面を覆う表面と折り返し片部と滑り止めマットにより構成される座布団カバーとした。
【発明の効果】
【００２０】
任意の座布団の下に載置される防滑性の滑り止めマットと該滑り止めマット上に任意の座布団の座布団表面を覆うカバー本体と滑り止めマットを挿み設置する折り返し片部と折り返し片部にて着脱可能な着脱固定手段とよりなる座布団カバーとしたことで、椅子などを持ち上げたり、傾けた場合に滑り落ちにくく、座布団が汚れた場合には、座布団からの取り外し、取り付けが容易に出来る座布団カバーとなった。
【図面の簡単な説明】
【００２１】
【図１】本発明の実施例１を示したものであり、本発明の裏面の斜視図である。
【図２】本発明の実施例１に示した座布団カバーの取り付け方を示した説明斜視図である。
【図３】本発明の実施例１に示した座布団カバーの展開図である。
【図４】本発明の実施例１に示した座布団カバーを取り付けた状態の断面図である。
【図５】本発明の実施例２を表した構造説明図である。
【図６】本発明の実施例３を表した仕様説明図である。
【図７】本発明の実施例４を表した仕様説明図である。
【図８】本発明の座布団が椅子を傾斜させても滑り落ちにくいことを示した図である。
【発明を実施するための形態】
【００２２】
本発明の座布団カバーは、載置される防滑性の滑り止めマットにより、椅子の上に載置される座布団が椅子を持ち上げたり、傾けた場合に滑り落ちにくく、座布団からの取り外し、取り付けが容易に出来る座布団カバーであり、以下実施例に沿って詳細に説明する。
【実施例１】
【００２３】
図１〜図４は、本発明の実施例１を表したものであり、図１は本発明の裏面の斜視図、図２は、座布団カバーの取り付け方を示した説明斜視図、図３は本発明の座布団カバーの展開図、図４は、本発明の座布団カバーを取り付けた状態の断面図を示したものである。
【００２４】
図1は、本発明の実施例１を表したものであり、図１は本発明の裏面の斜視図で示すように、防滑性の滑り止めマットと該滑り止めマット上に任意の座布団の座布団表面を覆うカバー本体と滑り止めマットを挿み設置する折り返し片部と折り返し片部にて着脱可能な着脱固定手段とで構成される。
【００２５】
座布団カバー３は、図１で示すように座布団カバー本体の裏面には、該座布団カバーの折り返し片部４があり、折り返し片部から防滑性の滑り止めマット２を挿み設置することが出来る。図１は、該座布団カバーを座布団に装着した装着した状態である。
【００２６】
座布団カバー３は、図２で示すように座布団カバー３に座布団１を挿入し、広げ整え、防滑性の滑り止めマット２を折り曲げ、挿み込んで広げ整えることにより装着が出来る。
【００２７】
座布団カバーの折り返し片部４は、図３で示すように座布団カバーの展開図から座布団カバーの縫い合わせ部５を縫い合わせることにより、座布団カバーの折り返し片部４となる。
【００２８】
図４は、座布団カバーを取り付けた状態の断面図であるが、内側の座布団１を覆う座布団カバー３の上に滑り止めマット２を座布団カバーの折り返し片部４により固定している状態となる。
【００２９】
座布団カバーとして使用する布地は、綿・ポリエステル・合成皮・皮・等適宜に選択することが出来る。座布団の形については、四角形に限らず円形や三角形等にしてもよい。
【実施例２】
【００３０】
図5は、本発明の実施例２を示したものであり、基本的には実施例１の構成と同様になるので、異なる構成についてのみ説明し、共通の内容については割愛する。
【００３１】
実施例２においては、布地６の周囲先端に設けられた側部面ファスナー凹面７ｂと、布地６の角端に設けられた角部面ファスナー凹面８ｂと、座布団1と、対向する着接するために設けられた滑り止めマット２の周囲４方向の先端に設けられた側部面ファスナー凸面７aと対向する滑り止めマット２の角端に設けられた角部面ファスナー凸面８ａとから構成される。
【００３２】
実施例２においては、図５に示すように座布団１を布地６と滑り止めマット２で覆い、双方にある側部面ファスナー７a
、７ｂを係合し、角部面ファスナー８ａ、８ｂを係合し装着することができる。
【実施例３】
【００３３】
図６は、本発明の実施例３を示したものであり、基本的には実施例１の構成と同様になるので、異なる構成についてのみ説明し、共通の内容については割愛する。
【００３４】
実施例３においては、座布団１を覆う座布団カバー本体3と滑り止めマット２をファスナーで固着したものである。
【実施例４】
【００３５】
図７は、本発明の実施例４を示したものであり、基本的には実施例１の構成と同様になるので、異なる構成についてのみ説明し、共通の内容については割愛する。
【００３６】
実施例４においては、座布団１を覆う座布団カバー本体の折り返し片部４の先端の４辺にゴムを縫い付けたもので、しっかりと座布団が固定出来るものである。
【００３７】
次に、実施例１から実施例４の座布団カバーの使用方法について説明する。座布団1の下に滑り止めマット２を取り付けた座布団カバーを表面に向け、椅子の上に載置して座ることが出来る。掃除などで椅子を動かす場合には、図8で示すような角度まで倒しても、滑り落ちにくい座布団カバーとなる。
【符号の説明】
【００３８】
１    座布団
２    滑り止めマット
３a   座布団カバー
３ｂ  座布団カバー展開面
４    座布団カバー折り返し片部
５    座布団カバー縫い合わせ部
６    布地
７a   側部面ファスナー凸面
７ｂ  側部面ファスナー凹面
８ａ  角部面ファスナー凸面
８ｂ  角部面ファスナー凹面
９    ファスナー
１０  ゴム紐
１１  椅子
【図３】
2011125412.tif 000003
【図１】
2011125412.tif 000004
【図２】
2011125412.tif 000005
【図４】
2011125412.tif 000006
【図５】
2011125412.tif 000007
【図６】
2011125412.tif 000008
【図７】
2011125412.tif 000009
【図８】
2011125412.tif 000010